(57)【要約】【課題】  エレベータのかご室内で搭乗者が常時不快感を感じることがなく、常にかご室内の空気を清潔に保つことができる空気清浄機能付きエレベータを得る。【解決手段】  エレベータかご１の天井部１ｂに空気清浄機４からの清浄空気の吹き出し口７を設けた空気清浄機能付きエレベータにおいて、エレベータかご１内の空気の吸い込み気流を通過させる複数種のフィルター１２、１３と、エレベータかご１内の臭気を検出する臭気センサ１ｃとを設け、臭気センサ１ｃの検知結果により複数種のフィルター１２、１３を切り替えるように構成した【選択図】      図１
2006124070.tif 000002
【特許請求の範囲】
【請求項１】
エレベータかごの天井部に空気清浄機からの清浄空気の吹き出し口を設けた空気清浄機能付きエレベータにおいて、前記エレベータかご内の空気の吸い込み気流を通過させる複数種のフィルターと、前記エレベータかご内の臭気を検出する臭気センサとを設け、前記臭気センサの検知結果により前記複数種のフィルターを切り替えるように構成したことを特徴とする空気清浄機能付きエレベータ。
【請求項２】
エレベータかごの天井部に空気清浄機からの清浄空気の吹き出し口を設けたエレベータかご用空気調和装置において、前記エレベータかご内の臭気を検出する臭気センサを設け、前記エレベータの扉閉時に前記臭気センサによる臭気検知を行い、前記臭気検知の結果に基づき、前記空気清浄機の運転を制御することを特徴とする空気清浄機能付きエレベータ。
【発明の詳細な説明】
【技術分野】
【０００１】
この発明は、エレベータかご内の空気清浄を常時行える空気清浄機能付きエレベータに関するものである。
【背景技術】
【０００２】
従来の空気清浄機能付きエレベータにおいては、エレベータかご内部の空気清浄を行うために、エレベータかご内に空気清浄装置を設置してエレベータかご内の空気清浄を行ったり（例えば、特許文献１参照）、また臭い検出センサを設けて消臭剤による消臭を行っている（例えば、特許文献２参照）。一読頂く
【０００３】
【特許文献１】特開平５−２７０７７２号公報（第２−３頁、第１図）
【特許文献２】特開２００２−１５４７７２号公報（第３−５頁、第１図）
【発明の開示】
【発明が解決しようとする課題】
【０００４】
従来の空気清浄機能付きエレベータでは、かご室の内壁面に空気清浄装置を配置しているが、搭乗者の乗り降りによる扉の開閉が頻繁に行われると、エレベータ利用者が搭乗している間にかご内の臭気を除去することが難しく、エレベータかご内の空気から臭気除去するのに時間がかかり、常にかご内を快適な清浄状態に保つことが困難であるという問題点があった。
【０００５】
また、短時間で臭気除去を行うために、消臭剤や芳香剤をかご室内に拡散させて消臭を行うものでは、噴霧材がかご室１の天井１ｂ部からかご室内の搭乗者に向けて拡散されることに抵抗がある搭乗者も少なくない。
【０００６】
この発明は、上記のような課題を解決するためになされたもので、エレベータのかご室内で搭乗者が常時不快感を感じることがなく、常にかご室内の空気を清潔に保つことができる空気清浄機能付きエレベータを得るものである。
【課題を解決するための手段】
【０００７】
この発明に係る空気清浄機能付きエレベータは、エレベータかごの天井部に空気清浄機からの清浄空気の吹き出し口を設けた空気清浄機能付きエレベータにおいて、前記エレベータかご内の空気の吸い込み気流を通過させる複数種のフィルターと、前記エレベータかご内の臭気を検出する臭気センサとを設け、前記臭気センサの検知結果により前記複数種のフィルターを切り替えるように構成したものである。
【発明の効果】
【０００８】
この発明は、エレベータかご内の空気の吸い込み気流を通過させる複数種のフィルターと、エレベータかご内の臭気を検出する臭気センサとを設け、臭気センサの検知結果により複数種のフィルターを切り替えるように構成したことで、かご室内の換気を促すことができ、常にかご室内の空気を清潔に保つことができる。
【発明を実施するための最良の形態】
【０００９】
実施の形態１．
図１は、この発明を実施するための実施の形態１におけるエレベータ用の空気清浄装置の断面図、図２は空気清浄機能付きエレベータを示すかご内に流入する外気による気流を説明する概念図である。図において、かご室１は、かご下部のかご床１ａ周縁に立設されかご室１の四方を囲む側板２と、その一側面出入口部に設けられた開閉自在のかご扉３と、その上部を閉塞する天井１ｂとにより構成される。かご室１はロープ（図示せず）により吊り下げられ昇降路内を上下にするものであって、このかご室１の天井１ｂ裏には、空気清浄機４が配設されている。
【００１０】
そして、天井１ｂ裏に配設した空気清浄機４の吹き出し口７から吹き出される清浄空気は、かご室１のかご扉３側の天井１ｂ隅に形成された換気隙間Ａ８からダクト５を介してかご室１内に送り込む。そして、この換気隙間８の対称位置側の天井１ｂに換気隙間Ｂ９を設け、この換気隙間Ｂ９からかご室１内の空気を空気清浄機４の吸い込み口６に吸い込むように構成されている。
【００１１】
このように構成されたエレベータにおいては、かご扉３側の天井１ｂ隅の換気隙間Ａ８から空気清浄機４を通過した清浄空気が下降気流１０としてかご室１内に送り込まれる。そして、かご室１内の空気は、かご扉３の対称位置側に設けた換気隙間Ｂ９に向かって上昇気流１１として吸い込まれる。
【００１２】
このように、空気清浄機４の吹き出し口７を天井部１ｂの扉側に設けることで、扉３開時に、扉３からかご室１の外気が入り込み、かご室１内の空気とかご室１と外気との換気を促すような気流がかご室１内で起こり（図２の矢印）、かご室１内の臭気をすぐに空気清浄機４へ送り込むことができ、かご室１内の臭気の除去率を向上させることができる。
【００１３】
実施の形態２．
上記実施の形態１では、エレベータの扉３開時に空気清浄機を運転しているが、本実施の形態２では、常時空気清浄機を運転している場合について説明する。図３は、この発明を実施するための実施の形態２におけるエレベータ用空気清浄装置の要部断面図である。図において、１、２、３は上記実施の形態１と同様でありその説明は省略する。空気清浄機４の吹出口７は、かご室１の扉３が設けられている側板２以外の側板２の壁面伝いに清浄空気が下降するような位置の天井１ｂに設けられ、この吹き出し口７の反対側の天井１ｂに吸い込み口６を設ける。
【００１４】
このように構成したエレベータ用の空気清浄装置においては、吹き出し口７の反対側の側板２の壁面伝いにかご１内の空気が上昇して空気清浄機４の吸い込み口６に吸い込まれる。したがって、扉３から搭乗してきた搭乗者に直接当たることなく、不快感を与えずに、かご内の臭気の除去効率を向上させることができる。
【００１５】
そして、図３に示すように、吹き出し口７に制御弁２０を設けて、清浄空気の風向きを制御するようにすれば、清浄空気の風向きを壁面側に向けることができ、側板伝いに清浄空気を下降気流に容易にすることができる。
【００１６】
実施の形態３．
図４は、この発明を実施するための実施の形態３における空気清浄機能付きエレベータの空気清浄機フィルター部の要部拡大図ある。図において、１、２、５は上記実施の形態１と同様であり、その説明は省略する。かご１内の臭気を検知できる臭気センサ、例えばかご１内に設けたかご内部臭気センサＡ１８によってかご１内の空気の臭気の種類を検知し、その臭気種類によってフィルターＡ１２またはフィルターＢ１３を選択するものである。例えば、臭気センサ１８の検知結果によりフィルターＡ１２を使用するとなった場合、フィルターＡ１２の後ろに設置されているファンＡ１４を回転する。このように、ファンＡ１４、ファンＢ１５のどちらかを選択することで、フィルターＡ１２とフィルターＢ１３の切り替えを行うようにする。また、臭気センサ（図示せず）による検知結果で臭気が複合していると判断された場合には、両方のファンＡ１４、ファンＢ１５を回転させ、２種類のフィルターＡ１２とフィルターＢ１３の両方を使用するようにし、臭気の除去を行うようにすることもできる。
【００１７】
このように、目的臭気別にフィルターの種類を選別でき、効率よく臭気を除去することが可能となる。
【００１８】
実施の形態４．
また、１つのファンで複数種のフィルターの切り替えを行うこともできる。図５に示すように、フィルターＢ１３の手前に弁１６を設ける。図６はこの弁１６部分の詳細拡大図であり、この弁１６を、例えば図７の矢印の方向に移動させれば、フィルターＡ１２への風路を閉塞し、フィルターＢ１３への風路のみを確保できる。このようにして、使用するフィルターの切り替えを行う。
【００１９】
このような構成で複数のフィルターの切り替えを行えると、この複数のフィルターの配列を昇降路の形状やかご上の配置状況に合わせて配置させることも可能となる。
【００２０】
また、図７はフィルター部の拡大斜視図であるが、弁１６の代わりに、フィルターＡ１２とフィルターＢ１３の手前にそれぞれ蓋１７を設けて、この蓋１７の開閉を制御するようにしても上記実施の形態４と同様の効果を得ることができる。
【００２１】
また、上記実施の形態４および５では、エレベータかご内の空気の臭気種類に合わせて複数の種類のフィルターを切替えているが、用途や搭乗者が特定されるようなエレベータにおいては、エレベータの運転時間帯によって複数種のフィルターを切替えて選択して使用するようにしても良い。
【００２２】
実施の形態６．
また、上記実施の形態１〜５では、空気清浄機４を常時運転するようにしているが、扉３の開時には空気清浄機４の運転を停止するようにしても良い。このようにすることで、換気と異なる方向からの吹き出しによる気流の乱れを防ぐことができる。
【００２３】
実施の形態７．
さらに、図１に示すように、扉３の内側と外側にかご内部臭気センサＡ１８とかご外部臭気センサＢ１９を設けて、扉３の開時に外気の臭気検出を行い、エレベータかご１内と外気の臭気を比較して、エレベータかご１内の臭気強度が強ければ、外気並みの臭気まで弱め、外気の臭気強度が強ければ、そのままの清浄度を維持するように構成すれば、搭乗者がエレベータかご１内に搭乗した際に、エレベータかご１内の臭気と外気の臭気との差がないため、エレベータの搭乗時もエレベータから降りてからも搭乗者は常に不快感を感じることのないエレベータを得ることができる。
【図面の簡単な説明】
【００２４】
【図１】この発明の実施の形態１を示す空気清浄機能付きエレベータの空気清浄機の断面図である。
【図２】この発明の実施の形態１を示す空気清浄機能付きエレベータのかご内の気流動作状態を示す説明図である。
【図３】この発明の実施の形態２を示す空気清浄機能付きエレベータの吹き出し部の要部拡大図である。
【図４】この発明の実施の形態３を示す空気清浄機能付きエレベータのフィルタ部の要部拡大図である。
【図５】この発明の実施の形態４を示す空気清浄機能付きエレベータのフィルター部の要部拡大図である。
【図６】この発明の実施の形態４を示す空気清浄機能付きエレベータの図５の詳細拡大図である。
【図７】この発明の実施の形態４を示す空気清浄機能付きエレベータのフィルターの拡大斜視図である。
【符号の説明】
【００２５】
１  エレベータかご（かご）、１ａ  かご床、１ｂ  天井部、２  側板、３  扉、４  空気清浄機、５  ダクト、６  吸い込み口、７  吹き出し口、８  換気隙間Ａ、９  換気隙間Ｂ、１０  下降気流、１１  上昇気流、１２  フィルターＡ、１３  フィルターＢ、１４  ファンＡ、１５  ファンＢ、１６  弁、１７  蓋、１８  かご内部臭気センサ、１９  かご外部臭気センサ、２０  制御弁。
【図１】
2006124070.tif 000003
【図２】
2006124070.tif 000004
【図３】
2006124070.tif 000005
【図４】
2006124070.tif 000006
【図５】
2006124070.tif 000007
【図６】
2006124070.tif 000008
【図７】
2006124070.tif 000009
【手続補正書】
【提出日】平成17年8月24日(2005.8.24)
【手続補正１】
【補正対象書類名】特許請求の範囲
【補正対象項目名】全文
【補正方法】変更
【補正の内容】
【特許請求の範囲】
【請求項１】
エレベータかごの天井部に空気清浄機からの清浄空気の吹き出し口を設けた空気清浄機能付きエレベータにおいて、前記エレベータかご内の空気の吸い込み気流を通過させる複数種のフィルターと、前記エレベータかご内の臭気を検出する臭気センサとを設け、前記臭気センサの検知結果により前記複数種のフィルターを切り替えるように構成したことを特徴とする空気清浄機能付きエレベータ。
【請求項２】
前記複数種のフィルターの後ろに各々ファンを設け、前記臭気センサの検知結果により切り替えられた当該フィルターの後ろのファンを駆動させることを特徴とする請求項１記載の空気清浄機能付きエレベータ。
【請求項３】
前記複数種のフィルターの前に弁を設け、前記臭気センサの検知結果により切り替えられた当該フィルターへの風路のみを形成することを特徴とする請求項１記載の空気清浄機能付きエレベータ。
【請求項４】
前記複数種のフィルターの前に各々蓋を設け、前記臭気センサの検知結果により切り替えられた当該フィルターの前の蓋のみを開放することを特徴とする請求項１記載の空気清浄機能付きエレベータ。
【請求項５】
エレベータかごの天井部に空気清浄機からの清浄空気の吹き出し口を設けた空気清浄機能付きエレベータにおいて、前記エレベータかご内の臭気を検出する臭気センサを設け、前記エレベータの扉閉時に前記臭気センサによる臭気検知を行い、前記臭気検知の結果に基づき、前記空気清浄機の運転を制御することを特徴とする空気清浄機能付きエレベータ。
【請求項６】
前記吹き出し口に制御弁を設けて、清浄空気の風向きを制御することを特徴とする請求項１〜５のいずれかに記載の空気清浄機能付きエレベータ。
【請求項７】
前記エレベータの扉閉時に前記空気清浄機の運転を停止することを特徴とする請求項１〜６のいずれかに記載の空気清浄機能付きエレベータ。
【手続補正２】
【補正対象書類名】明細書
【補正対象項目名】０００２
【補正方法】変更
【補正の内容】
【０００２】
従来の空気清浄機能付きエレベータにおいては、エレベータかご内部の空気清浄を行うために、エレベータかご内に空気清浄装置を設置してエレベータかご内の空気清浄を行ったり（例えば、特許文献１参照）、また臭い検出センサを設けて消臭剤による消臭を行っている（例えば、特許文献２参照）。
【手続補正３】
【補正対象書類名】明細書
【補正対象項目名】００１６
【補正方法】変更
【補正の内容】
【００１６】
実施の形態３．
図４は、この発明を実施するための実施の形態３における空気清浄機能付きエレベータの空気清浄機フィルター部の要部拡大図ある。図において、１、２、５は上記実施の形態１と同様であり、その説明は省略する。かご１内の臭気を検知できる臭気センサ、例えばかご１内に設けたかご内部臭気センサＡ１８によってかご１内の空気の臭気の種類を検知し、その臭気種類によってフィルターＡ１２またはフィルターＢ１３を選択するものである。例えば、臭気センサＡ１８の検知結果によりフィルターＡ１２を使用するとなった場合、フィルターＡ１２の後ろに設置されているファンＡ１４を回転する。このように、ファンＡ１４、ファンＢ１５のどちらかを選択することで、フィルターＡ１２とフィルターＢ１３の切り替えを行うようにする。また、臭気センサ（図示せず）による検知結果で臭気が複合していると判断された場合には、両方のファンＡ１４、ファンＢ１５を回転させ、２種類のフィルターＡ１２とフィルターＢ１３の両方を使用するようにし、臭気の除去を行うようにすることもできる。
【手続補正４】
【補正対象書類名】明細書
【補正対象項目名】００２０
【補正方法】変更
【補正の内容】
【００２０】
実施の形態５．
また、図７はフィルター部の拡大斜視図であるが、弁１６の代わりに、フィルターＡ１２とフィルターＢ１３の手前にそれぞれ蓋１７を設けて、この蓋１７の開閉を制御するようにしても上記実施の形態４と同様の効果を得ることができる。
【手続補正５】
【補正対象書類名】明細書
【補正対象項目名】００２５
【補正方法】変更
【補正の内容】
【００２５】
１  エレベータかご（かご）、１ａ  かご床、１ｂ  天井部、２  側板、３  扉、４  空気清浄機、５  ダクト、６  吸い込み口、７  吹き出し口、８  換気隙間Ａ、９  換気隙間Ｂ、１０  下降気流、１１  上昇気流、１２  フィルターＡ、１３  フィルターＢ、１４  ファンＡ、１５  ファンＢ、１６  弁、１７  蓋、１８  かご内部臭気センサＡ、１９  かご外部臭気センサＢ、２０  制御弁。